(57)【要約】【課題】取り付け及び交換時の作業性が良く、クランプブラケット及びスイベルブラケットをコンパクト化する。【解決手段】本発明は、船体２に固定され、前進方向スラスト受け部２１を有する左右一対のクランプブラケット４と、左右一対のクランプブラケット４の間において上部を支点に上下方向にチルト可能に設けられ、前進方向スラスト受け部２１に当接する前進方向スラスト伝達部３８を有するスイベルブラケット５とを備え、クランプブラケット４とスイベルブラケット５の少なくともいずれか一方には、スイベルブラケット５の左右方向のスラストを受け止めるための左右方向スラスト受け部３１が設けられており、左右方向スラスト受け部３１は前進方向スラスト受け部２１より上方位置に設けられていることを特徴とする。【選択図】図４
2007296987.tif 000002
【特許請求の範囲】
【請求項１】
船体に固定され、前進方向スラスト受け部を有する左右一対のクランプブラケットと、
該左右一対のクランプブラケットの間において上部を支点に上下方向にチルト可能に設けられ、前記前進方向スラスト受け部に当接する前進方向スラスト伝達部を有するスイベルブラケットと、
を備え、前記クランプブラケットと前記スイベルブラケットの少なくともいずれか一方には、該スイベルブラケットの左右方向のスラストを受け止めるための左右方向スラスト受け部が設けられており、該左右方向スラスト受け部は前記前進方向スラスト受け部より上方位置に設けられていることを特徴とする船外機。
【請求項２】
前記左右方向スラスト受け部は、前記スイベルブラケットが上方にチルトするに従って、前記クランプブラケットとの当接位置が上方に移動するように形成されている請求項１に記載の船外機。
【請求項３】
前記左右方向スラスト受け部は、前記クランプブラケット及び前記スイベルブラケットとは別個の部材により構成されている請求項１又は２に記載の船外機。
【請求項４】
前記左右方向スラスト受け部は、樹脂製の板状部材により形成され、前記スイベルブラケット側に設けられている請求項３に記載の船外機。
【請求項５】
前記左右方向スラスト受け部には、外側に当接部が平坦に形成されていると共に、内側に締結具挿入部が形成されている請求項４に記載の船外機。
【発明の詳細な説明】
【技術分野】
【０００１】
本発明は、船体を推進させるために船体の外部に設けられる船外機に関する。
【背景技術】
【０００２】
一般に、船外機は、船体の船尾板に左右一対で金属製のクランプブラケットを固定し、該各クランプブラケットの間に金属製のスイベルブラケットを、チルト軸を支点に上下方向に回動可能に軸支し、該スイベルブラケットに船外機本体を担持させることにより構成されている。そして、クランプブラケットには、チルト軸から離れた位置に複数のピン孔が設けられており、所望な位置のピン孔に挿入されたチルトピンにスイベルブラケットを当接させることにより、走行中に船外機本体を傾動させるトリム操作時等において、船外機本体の下限位置を設定できるようになっている。
【０００３】
このような構成を備えた船外機において、船体の前後方向の傾きに対応させて、前記スイベルブラケットを上下方向に回動させ、船外機本体をトリムアップ又はトリムダウンさせることにより、船体を最適な姿勢で走行させることができる。
【０００４】
そして、このように走行している船体が旋回等した場合、船外機には左右方向のスラストが発生する。そのため、従来の船外機には、前記スイベルブラケットの側面が前記クランプブラケットに当接することによりこの左右方向のスラストを受け止める左右方向スラスト受け構造が設けられている（例えば、特許文献１又は２参照）。
【特許文献１】特許第３００２２８５号
【特許文献２】特公平５−５５３５６号公報
【発明の開示】
【発明が解決しようとする課題】
【０００５】
しかしながら、上記した従来の船外機では、旋回等によって船外機に左右方向のスラストが発生した時や、トリム操作やチルト操作を行う時に、いずれも金属製のクランプブラケットとスイベルブラケットとが互いに接触又は摺動するため、クランプブラケットやスイベルブラケットの表面の塗装が剥離したり、クランプブラケットやスイベルブラケット自体が磨耗したりするといった問題があった。そして、クランプブラケットやスイベルブラケットの磨耗が激しい場合には、クランプブラケットやスイベルブラケット自体を交換しなければならず、交換作業に非常に手間が掛かるといった問題もあった。
【０００６】
また、上記した従来の船外機では、船外機本体がトリムアップ又はトリムダウンする全領域においてスイベルブラケットの側面がクランプブラケットに当接するように、スイベルブラケットを前方に延設したり、クランプブラケットを後方に張り出した形状にしたりする必要があるため、スイベルブラケットとクランプブラケットが大型化するといった問題があった。さらに、クランプブラケットが大型化すると、船外機の操舵時に、クランプブラケットが船外機本体に干渉し易くなり、操舵角を大きく取ることができないといった問題もあった。
【０００７】
そこで、従来、クランプブラケットのピン孔に近接した位置に樹脂製のプレートを取り付け、左右方向のスラスト発生時等に、このプレートとスイベルブラケットとの間で接触や摺動が行われるようにした船外機も提案されている。
【０００８】
しかしながら、従来のこの種の船外機では、チルト軸から離れたピン孔に近接してプレートが設置されているため、プレートの取り付けや交換作業を行い難いといった問題があった。また、クランプブラケットとスイベルブラケットがいずれも大型化し、操舵角を大きく取ることができないといった上記した問題は依然として未解決のままであった。
【０００９】
さらに、この場合、ボルト等の締結具によってプレートをクランプブラケットに固定しており、プレートに締結具を固定するスペースが必要となるため、プレートの接触及び摺動領域が減少したり、締結具が露出して外観を損ねたりするといった新たな問題も存在していた。
【００１０】
本発明は上記した課題を解決すべくなされたものであり、取り付け及び交換時の作業性が良く、クランプブラケット及びスイベルブラケットをコンパクト化し、操舵角を大きく取ることができ、締結具により接触及び摺動領域が減少したり、外観を損ねたりすることのない左右方向スラスト受け構造を備えた船外機を提供することを目的とする。
【課題を解決するための手段】
【００１１】
上記した目的を達成するため、本発明は、船体に固定され、前進方向スラスト受け部を有する左右一対のクランプブラケットと、該左右一対のクランプブラケットの間において上部を支点に上下方向にチルト可能に設けられ、前記前進方向スラスト受け部に当接する前進方向スラスト伝達部を有するスイベルブラケットとを備え、前記クランプブラケットと前記スイベルブラケットの少なくともいずれか一方には、該スイベルブラケットの左右方向のスラストを受け止めるための左右方向スラスト受け部が設けられており、該左右方向スラスト受け部は前記前進方向スラスト受け部より上方位置に設けられていることを特徴とする。
【００１２】
そして、本発明において、前記左右方向スラスト受け部は、前記スイベルブラケットが上方にチルトするに従って、前記クランプブラケットとの当接位置が上方に移動するように形成されていてもよい。
【００１３】
また、前記左右方向スラスト受け部は、前記クランプブラケット及び前記スイベルブラケットとは別個の部材により構成されていてもよい。
【００１４】
さらに、前記左右方向スラスト受け部は、樹脂製の板状部材により形成され、前記スイベルブラケット側に設けられていてもよい。
【００１５】
さらにまた、前記左右方向スラスト受け部には、外側に当接部が平坦に形成されていると共に、内側に締結具挿入部が形成されていてもよい。
【発明の効果】
【００１６】
本発明によれば、左右方向スラスト受け部が前進方向スラスト受け部より上方位置に設けられているため、左右方向スラスト受け部の取り付け及び交換時の作業性を向上させることができる。また、クランプブラケット及びスイベルブラケットをコンパクト化することができるため、操舵角を大きく取ることができ、操舵性の向上を図ることができる。
【発明を実施するための最良の形態】
【００１７】
以下、図面を参照しつつ、本発明の実施の形態について説明する。ここで、図１は本実施の形態に係る船外機の概略構成を示す側面図、図２は同船外機のクランプブラケットとスイベルブラケットを示す正面図、図３は同船外機のクランプブラケットとスイベルブラケットを示す背面図、図４は船外機１がトリムダウンしている時のクランプブラケット４とスイベルブラケット５の状態を示す側面図、図７は同船外機がトリムアップした時のクランプブラケットとスイベルブラケットを示す側面図である。
【００１８】
本実施の形態に係る船外機１は、船体２の船尾板３上端を挟持するように固定される左右一対のクランプブラケット４と、該クランプブラケット４に対して上下方向にチルト可能に設けられるスイベルブラケット５と、該スイベルブラケット５に担持される船外機本体６とにより概略構成されている。
【００１９】
そして、船外機本体６は、駆動源となるエンジン（図示省略）を収容するエンジンカバー７と、エンジンカバー７の下部においてドライブシャフト（図示省略）を収容するドライブシャフトハウジング８と、ドライブシャフトハウジング８の下部に配置される推進ユニット９とから構成されており、ドライブシャフトハウジング８の上下にそれぞれ取り付けられるアッパマウントブラケット１０及びロアマウントブラケット１１を介してスイベルブラケット５に固定される。そして、前記エンジンの駆動が前記ドライブシャフトを介して推進ユニット９に伝達され、推進ユニット９のプロペラ１２が駆動されることにより、船体２が推進されるようになっている。
【００２０】
次に、図２〜図６を参照しつつ、本発明の実施の形態に係る船外機１のクランプブラケット４とスイベルブラケット５について説明する。ここで、図２は本実施の形態に係る船外機のクランプブラケットとスイベルブラケットを示す正面図、図３は同船外機のクランプブラケットとスイベルブラケットを示す背面図、図４は同船外機のクランプブラケットとスイベルブラケットを示す側面図、図５は図４のＡ−Ａ矢視図、図６は図５のＢ−Ｂ矢視図である。
【００２１】
左右一対のクランプブラケット４は、船尾板３の上端に沿って配置される軸支部１３と、該軸支部１３から下方略直角に湾曲し、船尾板３の外面に沿って配置される脚部１４とから構成されており、脚部１４は、図４に良く示されているように、側面視で前面１６と後面１７とが略平行を成すように形成されている。
【００２２】
各脚部１４の後側部分には、その上部から中間部（好ましくは、中間高さよりやや下方）に渡って、互いに平行に対峙するように、左右方向スラスト受け部当接部１５が形成されており、各左右方向スラスト受け部当接部１５の外側には補強リブ１８が形成されている。また、各脚部１４の左右方向スラスト受け部当接部１５より下方の対向する部分には、下方に向かうに従って近接するように傾斜面１９がそれぞれ形成されており、この傾斜面１９の下端位置であって、各脚部１４の下端部２０の間には、丸棒状の前進方向スラスト受け部２１が渡設されている。さらに、各脚部１４の下端部２０には、前進方向スラスト受け部２１の下方に丸棒状の油圧ユニット下端固定用ブラケット（図示省略）が渡設されている。
【００２３】
スイベルブラケット５は、左右方向スラスト受け部当接部１５の間に嵌まり込むように略直角に湾曲して形成されたブラケット本体部２２と、該ブラケット本体部２２の中央部を縦方向に貫通する軸部２３と、前記油圧ユニット下端固定用ブラケットに下端が支持される油圧シリンダを備えたパワーチルト・トリム装置（図示省略）とから構成されている。そして、ブラケット本体部２２の上部がチルト軸２４を介してクランプブラケット４の軸支部１３に軸支されており、前記パワーチルト・トリム装置の油圧シリンダを伸縮させることにより、スイベルブラケット５は左右一対のクランプブラケット４の間において上部を支点に上下方向にチルト可能となっている。
【００２４】
スイベルブラケット５のブラケット本体部２２は、図５に良く示されているように、中央部に掛けてやや後方に湾曲した形状を成しており、中央部には軸部貫設部２５が前方に突出して形成されている。また、ブラケット本体部２２の左右両側端部は前方に向かって屈曲し、左右方向スラスト受け部取付部２６が形成されている。左右方向スラスト受け部取付部２６は、ブラケット本体部２２の下半部分に渡って形成されており、その上部２７と下部２８が前後方向に幅広の形状を成すように形成されている。そして、左右方向スラスト受け部取付部２６の上部２７及び下部２８には、それぞれ、左右方向に貫通する取付孔２９，３０が形成されている。
【００２５】
左右方向スラスト受け部取付部２６には、その全面を覆うように、クランプブラケット４及びスイベルブラケット５とは別個の部材により構成された左右方向スラスト受け部３１が設けられている。左右方向スラスト受け部３１は、樹脂製の板状部材により形成されており、左右方向スラスト受け部取付部３１の外面に沿って平坦に形成された当接部３２と、該当接部３２の内側の取付孔２９，３０に対応する位置に円筒状に突設された締結具挿入部３３とから構成されている。そして、左右方向スラスト受け部３１は、内側から締結具挿入部３３にワッシャ付きタッピングボルト３４等の締結具を螺入することにより、左右方向スラスト受け部取付部３１に固定されるようになっている。
【００２６】
スイベルブラケット５の軸部２３は、丸棒状を成し、上端部３５はブラケット本体部２２から上方に突出し、アッパマウントブラケット１０が取り付けられる。一方、軸部２３の下方部分３６は、ブラケット本体部２２から下方に延出し、下方部分３６の下端部３７にロアマウントブラケット１１が取り付けられる。また、軸部２３の下端部３７の前側には、前進方向スラスト伝達部３８が突設されており、前進方向スラスト伝達部３８の前端部３９は凹状に湾曲して形成されている。そして、この前進方向スラスト伝達部３８の前端部３９が前進方向スラスト受け部２１に当接することにより、船外機本体６の下限位置が設定されるようになっている。
【００２７】
このような構成を備えた船外機１において、船体２が走行中に旋回した場合、船外機１には左右方向のスラストが発生する。この時、図４に示すように、船外機１が船外機本体６をトリムダウンさせている状態にある場合には、スイベルブラケット５の左右方向スラスト受け部３１の当接部３２全面がクランプブラケット４の左右方向スラスト受け部当接部１５に当接し、これにより、左右方向のスラストを受け止めることができる。
【００２８】
一方、船外機１に左右方向のスラストが発生した時に、図７に示すように、船外機１が船外機本体６をトリムアップさせている状態にある場合には、スイベルブラケット５の左右スラスト受け部３１の当接部３２の上部４０がクランプブラケット４の左右方向スラスト受け部当接部１５に当接し、これにより、左右方向のスラストを受け止めることができる。
【００２９】
このように本実施の形態に係る船外機１によれば、左右方向スラスト受け部３１は、スイベルブラケット５が上方にチルトするに従って、クランプブラケット４との当接位置が上方に移動するように形成されている。すなわち、船外機本体６がトリムアップ又はトリムダウンする全領域においてスイベルブラケット５の左右方向スラスト受け部３１がクランプブラケット４の左右方向スラスト受け部当接部１５に当接するようになっているため、左右方向のスラストを確実に受け止めることができる。また、左右方向スラスト受け部３１が取り付けられる左右方向スラスト受け部取付部２６は、前進方向スラスト受け部２１より上方位置の、ブラケット本体部２２の下半部分に渡って形成されているため、ブラケット本体部２２の長さを短くすることができ、スイベルブラケット５のコンパクト化を図ることができる。
【００３０】
また、左右方向スラスト受け部３１が、スイベルブラケット５側において前進方向スラスト受け部２１より上方位置に設けられているため、クランプブラケット４を後方に張り出す形状とする必要がなく、クランプブラケット４の小型化を図ることができる。さらに、クランプブラケット４の小型化により、船外機の操舵時に、クランプブラケットが船体に干渉し難くなり、操舵角を大きく取ることができ、操舵性の向上を図ることができる。
【００３１】
さらにまた、左右方向スラスト受け部３１は、クランプブラケット４やスイベルブラケット５とは別個の樹脂製部材により構成されているため、磨耗したりした場合には、簡単に交換作業を行うことができると共に、コストの低減化を図ることができる。さらに、この左右方向スラスト受け部３１は、前進方向スラスト受け部２１より上方のチルト軸２４に近い場所に設けられており、スイベルブラケット５をチルトアップ操作することにより、交換の容易な位置において作業を進めることができるため、交換作業の簡素化を図ることができる。
【００３２】
さらに、左右方向スラスト受け部３１は、外面が平坦に形成された当接部３２により覆われており、外面に締結具が露出しない構造となっているため、当接部３２全面をクランプブラケット４との接触及び摺動領域として有効に使用することができると共に、外観性を高めることができる。
【００３３】
なお、上記した実施の形態において、左右方向スラスト受け部３１は、スイベルブラケット５側に取り付けられているが、クランプブラケット４側に取り付けてもよく、或いは、クランプブラケット４とスイベルブラケット５の両方にそれぞれ取り付けてもよい。
【００３４】
また、上記実施の形態では、左右方向スラスト受け部３１を樹脂製としたが、これは単なる例示に過ぎず、アルミニウムや鉄等、他の材質製としてもよい。
【００３５】
さらに、左右方向スラスト受け部３１を左右方向スラスト受け部取付部２６に固定する締結具としては、上記したワッシャ付きタッピングボルトに限定されるものではなく、例えば、インサートナットとボルトの組み合わせ等、他の締結具を使用してもよい。
【図面の簡単な説明】
【００３６】
【図１】本発明の実施の形態に係る船外機を示す側面図である。
【図２】本発明の実施の形態に係る船外機のクランプブラケットとスイベルブラケットを示す正面図である。
【図３】本発明の実施の形態に係る船外機のクランプブラケットとスイベルブラケットを示す背面図である。
【図４】本発明の実施の形態に係る船外機のクランプブラケットとスイベルブラケットを示す側面図であり、トリムダウンした時の状態を示している。
【図５】図４のＡ−Ａ矢視図である。
【図６】図５のＢ−Ｂ矢視図である。
【図７】本発明の実施の形態に係る船外機がトリムアップした時のクランプブラケットとスイベルブラケットを示す側面図である。
【符号の説明】
【００３７】
１          船外機
２          船体
４          クランプブラケット
５          スイベルブラケット
２１        前進方向スラスト受け部
３１        左右方向スラスト受け部
３２        当接部
３３        締結部
３８        前進方向スラスト伝達部
【図１】
2007296987.tif 000003
【図２】
2007296987.tif 000004
【図３】
2007296987.tif 000005
【図４】
2007296987.tif 000006
【図５】
2007296987.tif 000007
【図６】
2007296987.tif 000008
【図７】
2007296987.tif 000009